(57)【要約】【課題】子機にマイコンを搭載しないコードレス電話装置を提供する。【解決手段】電話回線網に接続される親機と、この親機と電波により情報の交信を行う子機とから構成されるコードレス電話装置において、子機１に設けられたマイク２５、キーマトリックス２３、電池２８等の子機の入力機器の状態および操作を表すデータをデータ組み上げ部３１により上りデータｂとして親機に送信する手段と、親機のマイクロコンピュータを用いて解析や判断、処理されたデータを当該子機１に送信する手段と、親機から受信した下りデータａに基づいて受話器１５、スピーカ１９、ＬＣＤ表示器２０、ＬＥＤ２２等の出力機器への指令を仕分けるデータ仕分け部１１とを備えることにより、子機１にマイクロコンピュータを搭載しない構成としたものであり、ソフト開発が親機のみで子機１については不要となり、コストダウンを図ることができる。【選択図】図１
2005101919.tif 000002
【特許請求の範囲】
【請求項１】
電話回線網に接続される親機と、この親機と電波により情報の交信を行う少なくとも１台の子機とから構成されるコードレス電話装置において、
前記子機に設けられたマイク、キー操作部、電池等の子機の入力機器の状態および操作を表すデータを通信により親機に送信する手段と、前記親機のマイクロコンピュータを用いて解析や判断、処理されたデータを当該子機に送信する手段と、前記親機から受信したデータに基づいて受話器、スピーカ、表示器等の出力機器への指令を仕分けるデータ仕分け手段とを備えることにより、子機にマイクロコンピュータを搭載しない構成としたことを特徴とするコードレス電話装置。
【請求項２】
前記子機から前記親機への通信データは、ヘッダと、前記各入力機器の状態および操作を表すデータの集合とからなるパケットであることを特徴とする請求項１記載のコードレス電話装置。
【請求項３】
前記親機から前記子機への通信データは、ヘッダと、前記各出力機器への指令を表すデータの集合とからなるパケットであることを特徴とする請求項１または２に記載のコードレス電話装置。
【請求項４】
前記パケットにおける各出力機器への指令を表すデータの順序は、前記各出力機器について予め割り当てられた順序であることを特徴とする請求項３記載のコードレス電話装置。
【請求項５】
前記パケットにおける各出力機器への指令を表すデータには、その指令がどの出力機器に対するものであるかを示すコードが付されていることを特徴とする請求項３記載のコードレス電話装置。
【発明の詳細な説明】
【技術分野】
【０００１】
本発明は、それぞれ独自の機能を持たせることのできる親機と子機とで構成されるコードレス電話装置に関するものである。
【背景技術】
【０００２】
コードレス電話装置は、電話回線網に接続される親機と、この親機と電波により情報の交信を行う少なくとも１台の子機とから構成される。
【０００３】
従来のコードレス電話装置においては、親機と子機にそれぞれマイクロコンピュータ（以下、「マイコン」と略称する。）を装備し、このマイコンによって、キー操作、無線制御、ＬＣＤ（液晶表示器）制御等を行ってきた（例えば、特許文献１参照）。
【０００４】
図６は従来のコードレス電話装置の構成例を示すブロック図である。図６に示すように、コードレス電話装置は、コードレス親機１１０、コードレス子機１１２によって構成されている。コードレス親機１１０は、公衆回線１１４に接続されている。
【０００５】
コードレス親機１１０は、無線ユニット１２０、スピーチネットワーク１２１、親子機間用のモデム１２２、マイコン１２３、ダイヤルボタン１２４、マイク１２５、及びスピーカ１２６を有している。
【０００６】
無線ユニット１２０は、コードレス子機１１２に設けられた無線ユニット１３０との間で、所定のプロトコルによってデータの送受信を行う。
【０００７】
スピーチネットワーク１２１は、電話機能を実現するための基本的な機能が設けられた公衆回線１１４とのインターフェースであり、無線ユニット１２０を介したコードレス子機１１２による通話や、マイク１２５及びスピーカ１２６を用いたコードレス親機１１０による通話を介するものである。スピーチネットワーク１２１は、マイコン１２３によって制御されており、所定のコマンドに応じて公衆回線１１４に対してダイヤルパルス信号またはトーン信号を送出することができる。
【０００８】
モデム１２２は、コードレス子機１１２との間で信号の送受を行うためのもので、無線ユニット１２０を介して得られたコードレス子機１１２からのデータの復調や、マイコン１２３から出力されるコードレス子機１１２に送出すべきデータの変調を行う。
【０００９】
マイコン１２３は、モデム１２２による復調によって得られたコードレス子機１１２からの制御信号の解読、ダイヤルボタン１２４のボタンが押されることによって発生する信号の検出、スピーチネットワーク１２１との各種情報の授受（各種コマンドの送出、呼び出しの通知等）等を行う。
【００１０】
ダイヤルボタン１２４は、コードレス親機１１０からダイヤルする際に用いられるもので、０〜９までの数字ボタン、「＊」「＃」ボタンの他に、外線（公衆回線１１４）か内線（コードレス子機１１２）の何れにダイヤルするかなどの各種機能ボタンを含んでいる。
【００１１】
マイク１２５は、スピーチネットワーク１２１に接続されており、通話相手に送出する音声を入力するものである。スピーカ１２６は、スピーチネットワーク１２１に接続されており、通話相手からの音声を出力するものである。
【００１２】
コードレス子機１１２は、無線ユニット１３０、親子機間用のモデム１３１、マイコン１３２、ダイヤルボタン１３３、ＤＴＭＦデコーダ１３４、マイク１３６、スピーカ１３７、及びマイク・イヤホンジャック１３８によって構成されている。
【００１３】
無線ユニット１３０は、コードレス親機１１０に設けられた無線ユニット１２０との間で、所定のプロトコルによってデータの送受信を行う。
【００１４】
モデム１３１は、コードレス親機１１０との間で信号の送受を行うためのもので、無線ユニット１３０を介して得られたコードレス親機１１０からのデータの復調や、マイコン１３２から出力されるコードレス親機１１０に送出すべきデータの変調を行う。
【００１５】
マイコン１３２は、モデム１３１による復調によって得られたコードレス親機１１０からの制御信号の解読、ダイヤルボタン１３３のボタンが押されることによって発生する信号の検出、データ通信用モデムから出力されたダイヤルパルス信号に応じたＤＴＭＦデコーダ１３４からの信号の検出等を行う。
【００１６】
データ通信用モデムは、パソコンによるデータ通信の為のもので、マイク・イヤホンジャック１３８との間が専用ケーブルによって接続される。ＤＴＭＦデコーダ１３４は、このデータ通信用モデムから出力されたトーン信号を検出し、この信号をデコードすることによってコードレス電話機に設けられた機能を示すデータあるいは電話番号を表わす数値列のデータ（その他、機能によって用いられる各種データ）に変換し、デコード結果に応じて、マイコン１３２がダイヤルボタン１３３から検出する信号と同一の信号を発生してマイコン１３２に出力する。
【００１７】
マイク１３６は、無線ユニット１３０に接続されており、通話相手（コードレス親機１１０または公衆回線１１４を介して）に送出する音声を入力するものである。
【００１８】
スピーカ１３７は、無線ユニット１３０に接続されており、通話相手からの音声を出力するものである。
【００１９】
マイク・イヤホンジャック１３８は、無線ユニット１３０、モデム１３１、及びＤＴＭＦデコーダ１３４と接続されている。
【００２０】
パソコン１１８は、コードレス子機１１２、コードレス親機１１０、及び公衆回線１１４を介してデータ通信等を行う。パソコン１１８からはオートダイヤル機能によって公衆回線１１４を介して相手先との接続を行う。
【特許文献１】特開平７−１５４５０２号公報（段落００４０−００４２、図１）
【発明の開示】
【発明が解決しようとする課題】
【００２１】
このように、従来のコードレス電話装置においては、上述した子機の機能を達成するには、子機にマイコンを設けることが当然であると考えられていた。
【００２２】
しかし、子機にマイコンが設けられていることで、子機のマイコンを動作させるためのソフトウエアが必要であり、親機とは別のソフトウエアのプログラミングが必要となる。
【００２３】
また、通常、マイコンは、特定の製品に適合した機能を備えたＩＣを設計して製品化を行っているため、設計からマイコンチップの製品化まで、相当の日数が掛かっている。
【００２４】
そうすると、子機にマイコンがあることで、製品化までに相当な労力と日数が掛かり、新製品の販売時期にも大きな影響を与えるという問題がある。
【００２５】
本発明は、子機における各種の制御機能を、親機に設けたマイコンで果たす構成とすることにより、子機にマイコンを搭載しないコードレス電話装置を提供することを目的とする。
【課題を解決するための手段】
【００２６】
本発明は、子機に設けられた入力機器の状態および操作を表すデータを通信により親機に送信する手段と、親機のマイクロコンピュータを用いて解析や判断、処理されたデータを当該子機に送信する手段と、親機から受信したデータに基づいて出力機器への指令を仕分けるデータ仕分け手段とを備えたことを主要な特徴とする。
【発明の効果】
【００２７】
以上のように本発明のコードレス電話装置は、子機における各種の制御機能を、親機に設けたマイコンで果たす構成としたことにより、子機にマイコンを搭載しないコードレス電話装置を得ることができ、子機のソフト開発が不要で親機のソフト開発のみでよく、子機の納期が早くなり、ソフト変更があっても親機側のみで対策することができる。また、子機側にマイコンがないため、コストダウンを図ることができる。
【発明を実施するための最良の形態】
【００２８】
本発明は、子機にマイコンを搭載しないコードレス電話装置を提供するという目的を、子機における各種の制御機能を、親機に設けたマイコンで果たす構成とすることにより実現した。
【００２９】
上記課題を解決するためになされた第１の発明は、電話回線網に接続される親機と、この親機と電波により情報の交信を行う少なくとも１台の子機とから構成されるコードレス電話装置において、子機に設けられたマイク、キー操作部、電池等の子機の入力機器の状態および操作を表すデータを通信により親機に送信する手段と、親機のマイクロコンピュータを用いて解析や判断、処理されたデータを当該子機に送信する手段と、親機から受信したデータに基づいて受話器、スピーカ、表示器等の出力機器への指令を仕分けるデータ仕分け手段とを備えた構成としたものであり、子機と親機を常時通信状態としておき、親機のマイコンで処理を行うことで、子機にマイコンを搭載しないコードレス電話装置が可能となる。
【００３０】
上記課題を解決するためになされた第２の発明は、第１の発明において、子機から親機への通信データは、ヘッダと、各入力機器の状態および操作を表すデータの集合とからなるパケットとしたものであり、パケット通信を子機から親機に対して行うことにより、常時通信が可能となる。
【００３１】
上記課題を解決するためになされた第３の発明は、第１または第２の発明において、親機から子機への通信データは、ヘッダと、各出力機器への指令を表すデータの集合とからなるパケットとしたものであり、パケット通信を親機から子機に対して、または相互間で行うことにより、常時通信が可能となる。
【００３２】
上記課題を解決するためになされた第４の発明は、第３の発明において、パケットにおける各出力機器への指令を表すデータの順序は、各出力機器について予め割り当てられた順序としたものであり、仕分け処理を、マイコンなしで行うことができる。
【００３３】
上記課題を解決するためになされた第５の発明は、第３の発明において、パケットにお
ける各出力機器への指令を表すデータには、その指令がどの出力機器に対するものであるかを示すコードが付されている構成としたものであり、頻度の高い出力機器への指令を頻度高く出力することができる。
【００３４】
（実施の形態１）
以下、本発明の実施の形態について、各図に基づいて説明する。
【００３５】
図１は本実施の形態における子機の構成を示すブロック図、図２および図３はそれぞれ本実施の形態における親機と子機との間で伝送される下りデータおよび上りデータの１パケットの構成を示す説明図、図４は本実施の形態における子機と親機との間の通信のフローチャート、図５は本実施の形態における親機における子機状態管理および処理部における処理を示すフローチャートである。
【００３６】
図１において、子機１は、入出力ドライバ１０と、高周波部４０と、アンテナ５０とを備えている。高周波部４０は、入出力ドライバ１０の入出力データである下りデータａおよび上りデータｂをアンテナ５０を介して送受信するためにデジタルデータと高周波信号との相互変換を行うものである。
【００３７】
入出力ドライバ１０は、親機から受信した下りデータａを、受話器１５、スピーカ１９、ＬＣＤ（液晶）表示器２０、ＬＥＤ２２等の子機部品に仕分けるデータ仕分け部１１を備えている。また入出力ドライバ１０は、テンキーや補助キー（＊や＃）あるいは機能キー等のキーマトリックス２３、マイク２５、電池２８からの情報を上りデータｂとして組み上げるデータ組み上げ部３１を備えている。入出力ドライバ１０はまた、下りデータａに含まれる高周波部４０に対する初期化および設定を行う信号を高周波部４０に与える高周波初期化／高周波設定部１２を有している。
【００３８】
データ仕分け部１１と受話器１５およびスピーカ１９との間には、デジタル信号をアナログ信号に変換するＤＡ変換器１３，１６と、増幅器１４，１７，１８が設けられている。またデータ仕分け部１１には出力ポート２１が設けられ、例えばＬＥＤ２２に信号が出力される。その他の機器があれば、この出力ポート２１を通じてデータが出力される。
【００３９】
キーマトリックス２３からのキー操作信号は、入力ポート２４でパラレル信号からシリアル信号に変換され、データ組み上げ部３１に入力される。マイク２５の音声信号および電池２８の電圧信号は一旦増幅器２６，２９により増幅され、ＡＤ変換器２７，３０でデジタル信号に変換されてデータ組み上げ部３１に入力される。なお、図１中の外部インターフェース３２は、外部デバイス、外部メモリなどの子機１の周辺機器に対するデータの送受信を行うものである。
【００４０】
親機から受信した下りデータａの１パケットの構成は図２のようになっており、先頭のヘッダから、スロット１，スロット２，・・・，スロットｎという一かたまりのデータとなっている。各スロット１〜ｎは、例えば８ビットで構成され、各スロットには役割が決められており、図１の構成で言えば、スロット１は高周波初期化／高周波設定部１２への指令、スロット２は受話器１５への出力信号、スロット３はスピーカ１９への出力信号、・・・というように、各機器への信号となる。データ仕分け部１１では、１パケットの下りデータａをそのような順序で仕分ける。
【００４１】
なお、下りデータａとしては、各機器に順番にスロットを仕分けるほかに、各スロットの先頭に機器名を示すコードを付しておき、その機器への指令や信号の頻度を高くする構成とすることもできる。その場合には、データ仕分け部１１に、機器名を示すコードを判別する機能を持たせる。
【００４２】
データ組み上げ部３１に入力されたキーマトリックス２３、マイク２５、電池２８等からの信号は、予め決められた順序で一連のスロット信号スロット１〜スロットｎとして組み上げられ、図３に示すヘッダを先頭に付した上りデータｂの形にされて高周波部４０からアンテナ５０を介して親機に送信される。
【００４３】
なお、この上りデータｂにおいても、各スロットを各機器に割り当てて規定の順序で送るほかに、機器名を表すコードをスロット信号に付してパケット信号を構成するようにすることができる。
【００４４】
以上の構成の子機と親機との間の通信方法を図４を用いて説明する。
【００４５】
まず子機の電源を入れると（ステップＳ１）、図１の入出力ドライバ１０のデータ組み上げ部３１に電源オン信号が入力され、上りデータｂにその情報が入って親機に送られる。そうすると、子機と親機が自動的に通信状態となる（ステップＳ２）。子機において操作がないときは、空データが上りデータｂとして親機に送出される（ステップＳ３）。これは子機アイドル状態である。その状態を表すＬＣＤ（液晶）表示信号を子機に送出する（ステップＳ４）。子機は、その下りデータａを受けて、ＬＣＤ表示器２０にアイドル状態を表示する（ステップＳ５）。次いで、子機のキーマトリックス２３の例えば“１”のキーを押下すると（ステップＳ６）、その信号が親機に伝送され、子機に対して“１”キー表示データを下りデータａとして送信する（ステップＳ７）。子機は、その下りデータａを受けて、データ仕分け部１１でＬＣＤ表示器２０に“１”を表示させる（ステップＳ８）。
【００４６】
このようにして、子機と親機との間の通信が行われる。
【００４７】
図５は親機のマイコンにおける処理を示すものである。親機は、受信データ解析・処理ステップ６０と送信データ作成・送信ステップ７０をマイコンにおいて実行し、子機から受信した上りデータを処理する。
【００４８】
受信データ解析・処理ステップ６０において、１パケットデータを受信すると、その中にキーデータがあるかどうかを解析する（Ｓ１１）。キーデータがあれば、子機の状態制御、キー操作による状態（例えば通話状態、機能登録中）などの変更を制御する（Ｓ１２）。次いで、受話データがあるかどうかを解析し（Ｓ１３）、受話データがあれば音声処理制御を行う（Ｓ１４）。次いで電池データがあるかどうかを解析し（Ｓ１５）、電池データがあれば子機電池制御を行い、電池残量等をＬＣＤ表示器２０に表示する処理を行う（Ｓ１６）。
【００４９】
その他の処理があれば（Ｓ１７）、その他処理を行う（Ｓ１８）。
【００５０】
送信データ作成・送信ステップ７０では、前記のステップで行われた処理にしたがって子機ＬＣＤ表示データを作成する（Ｓ１９）。さらに、子機ＬＥＤデータ（Ｓ２０）、音声データ（Ｓ２１）を作成する。以上のデータにより、パケットデータを作成し（Ｓ２２）、子機へ１パケットを送信する（Ｓ２３）。
【００５１】
以上の処理を繰り返して行い、パケットデータの送受信を連続して実行する。
【００５２】
なお、親機と子機の間の通信のキャリア周波数は、高品質の音声通信のためには、６４Ｋｂｐｓ×スロット数以上であることが好ましいが、ＰＤＣ携帯電話並みの音質であれば、９．６Ｋｂｐｓ×スロット数程度まで下げることが可能である。
【００５３】
このように、親機と子機との間で通信を行うことにより、子機の状態を親機が常時監視するので、子機における解析や判断を伴う作業がなくなり、マイコンを設けなくて済む。
【産業上の利用可能性】
【００５４】
本発明は、子機にマイコンを搭載しないことにより、子機のソフト開発が不要で親機のソフト開発のみでよく、子機の納期が早くなり、ソフト変更があっても親機側のみで対策することができるコードレス電話装置に適用することができる。
【図面の簡単な説明】
【００５５】
【図１】本発明の実施の形態における子機の構成を示すブロック図
【図２】本発明の実施の形態における親機と子機との間で伝送される下りデータの１パケットの構成を示す説明図
【図３】本発明の実施の形態における親機と子機との間で伝送される上りデータの１パケットの構成を示す説明図
【図４】本発明の実施の形態における子機と親機との間の通信のフローチャート
【図５】本発明の実施の形態における親機における子機状態管理および処理部における処理を示すフローチャート
【図６】従来のコードレス電話装置の構成例を示すブロック図
【符号の説明】
【００５６】
１    子機
１０    入出力ドライバ
１１    データ仕分け部
１２    高周波初期化／高周波設定部
１３    ＤＡ変換器
１４    増幅器
１５    受話器
１６    ＤＡ変換器
１７    増幅器
１８    増幅器
１９    スピーカ
２０    ＬＣＤ（液晶）表示器
２１    出力ポート
２２    ＬＥＤ
２３    キーマトリックス
２４    入力ポート
２５    マイク
２６    増幅器
２７    ＡＤ変換器
２８    電池
２９    増幅器
３０    ＡＤ変換器
３１    データ組み上げ部
３２    外部インターフェース
４０    高周波部
５０    アンテナ
【図１】
2005101919.tif 000003
【図２】
2005101919.tif 000004
【図３】
2005101919.tif 000005
【図４】
2005101919.tif 000006
【図５】
2005101919.tif 000007
【図６】
2005101919.tif 000008